(57)【要約】【課題】  側溝から取り外すことなく、破損部品を交換可能とするグレーチングを提供する。【解決手段】  グレーチング１は、パネル板２０が、図柄の形状に切り抜いた窓部３が形成される上段表示プレート２と、下段プレート１７と、窓部３に嵌合可能な凹凸を表面に形成した凹凸盤１５と、凹凸盤１５を嵌め込み可能とする開口部１１が形成され、上段表示プレート２と下段プレート１７との間に配される中段リング１０と、で少なくとも構成され、溝蓋３０には凹部３１が形成されており、凹部３１内にパネル板２０が着脱自在に固定されることにより、グレーチング１を側溝から取り外す必要がなく、パネル板２０のみを取り外して交換することが可能である。また、構造がシンプルであることから製作が容易であり、安価に製作することが可能である。【選択図】図１
0003202965.tif 000002
【実用新案登録請求の範囲】
【請求項１】
図柄が表示されたパネル板を、溝蓋に取り付けてなるグレーチングであって、
前記パネル板が、図柄の形状に切り抜いた窓部が形成される上段表示プレートと、下段プレートと、前記窓部に嵌合可能な凹凸を表面に形成した凹凸盤と、前記凹凸盤を嵌め込み可能とする開口部が形成され、前記上段表示プレートと前記下段プレートとの間に配される中段リングと、で少なくとも構成され、
前記溝蓋には凹部が形成されており、当該凹部内に前記パネル板が着脱自在に固定されることを特徴とするグレーチング。
【請求項２】
前記凹凸盤と前記下段プレートとの間には、蓄光性を備えた蓄光盤を敷設してなることを特徴とする請求項１に記載のグレーチング。
【考案の詳細な説明】
【技術分野】
【０００１】
本考案は、側溝の開口した上面に設置し、上面を閉塞するグレーチングに関する。
【背景技術】
【０００２】
従来より、側溝の上面を閉塞するグレーチングとしては、表面に図形や模様、文字、絵柄等が表されたパネル板を着脱自在に固定したものが知られている（特許文献１）。
【先行技術文献】
【特許文献】
【０００３】
【特許文献１】特開平１０−２００１号公報
【考案の概要】
【考案が解決しようとする課題】
【０００４】
しかしながら、このようなグレーチングでは、パネル板表面に形成された図形や模様、文字等からなる図柄が破損した場合には、パネル板全体を交換しなければならず、このパネル板を交換するには、パネル板が蓋体の上面に着脱自在に固定しているものの、パネル板がグレーチングの裏側から固定されているため、グレーチングを側溝から一旦取り外す必要があり、交換作業が面倒であった。
【０００５】
そこで、本考案の目的は、上記従来のグレーチングの問題点を解消し、側溝から取り外すことなく、破損部品を交換可能とするグレーチングを提供することにある。
【課題を解決するための手段】
【０００６】
本考案のうち、請求項１に記載された考案は、図柄が表示されたパネル板を、溝蓋に取り付けてなるグレーチングであって、
前記パネル板が、図柄の形状に切り抜いた窓部が形成される上段表示プレートと、下段プレートと、前記窓部に嵌合可能な凹凸を表面に形成した凹凸盤と、前記凹凸盤を嵌め込み可能とする開口部が形成され、前記上段表示プレートと前記下段プレートとの間に配される中段リングと、で少なくとも構成され、
前記溝蓋には凹部が形成されており、当該凹部内に前記パネル板が着脱自在に固定されることを特徴とするものである。
【０００７】
請求項２に記載された考案は、請求項１に記載された考案に加え、前記凹凸盤と前記下段プレートとの間には、蓄光性を備えた蓄光盤を敷設してなることを特徴とするものである。
【考案の効果】
【０００８】
請求項１に記載された考案によれば、グレーチングを側溝から取り外す必要がなく、パネル板のみを取り外して交換することが可能である。また、構造がシンプルであることから製作が容易であり、安価に製作することが可能である。
【０００９】
請求項２に記載された考案によれば、視覚性に優れており、蓄光後は暗所においても図柄を表示することが可能である。
【図面の簡単な説明】
【００１０】
【図１】（ａ）はグレーチングを示し、（ｂ）は（ａ）のＡ−Ａ断面を示す説明図である。
【図２】グレーチング全体の構成を示す説明図である。
【考案を実施するための形態】
【００１１】
以下、本考案のグレーチングの一実施形態について、図面に基づいて詳細に説明する。
図１は、グレーチングを示す説明図である。図２は、グレーチングの構成を示す説明図である。
【００１２】
先ず初めに、図１（ａ）に示すように、グレーチング１は、格子状に形成した溝蓋３０の中央で、深さ約８ｍｍ、直径約１５０ｍｍの円形状に窪んだ凹部３１内に、図柄が表示されたパネル板２０を取り付けてなるものである。
【００１３】
次に、図２に示すように、パネル板２０は、上段表示プレート２と中段リング１０と下段プレート１７と、凹凸盤１５と、蓄光盤１６とで構成される。
【００１４】
このうち、上段表示プレート２は、板厚約２ｍｍの金属製の円盤で、表側の中央部分には、図形や絵柄等の形状に切り抜いた窓部３が設けられている。更に、この窓部３と外周との間には、皿ネジ６，６・・を差し込む６つの孔４，４・・が穿設されている。
また、中段リング１０は、板厚約２ｍｍの金属製のリング盤で、凹凸盤１５と蓄光盤１６とを嵌め込み可能とする開口部１１が形成されており、この開口部１１と外周との間には、６つの孔１２，１２・・が、上段表示プレート２を中段リング１０に重ね合わせた時に孔４，４・・と同じ位置に穿設されている。
更に、下段プレート１７は、板厚約４ｍｍの金属製の円盤で、上段表示プレート２の孔４，４・・と、中段リング１０の孔１２，１２・・と同じ位置にネジ孔１８，１８・・が設けられている。
また、凹凸盤１５は、板厚が２〜３ｍｍのポリカーボネート製の円盤で、表側の表面には、窓部３の形状と同じ形状の凹凸面１４が形成されている。蓄光盤１６は板厚約１ｍｍのシリコン製の円盤である。
【００１５】
このようにして構成されるグレーチング１は、以下のように組み立てられる。
先ず初めに、溝蓋３０の凹部３１内に下段プレート１７を載置し、この下段プレート１７にＴＩＧ溶接を行い、凹部３１に下段プレート１７を固定する。
一方、上段表示プレート２と中段リング１０とを一体にするため、中段リング１０の孔１２，１２・・を、上段表示プレート２の孔４，４・・と同じ位置に重ね合わせてＴＩＧ溶接を行う。
【００１６】
次に、蓄光盤１６の上に凹凸盤１５を重ね合わせて、これらを中段リング１０の開口部１１中に嵌め込む。この状態で上段表示プレート２を下段プレート１７上に載置し、皿ネジ６，６・・を孔４，４・・に差し込み、ネジ孔１８，１８・・に螺合する。これにより、図１（ｂ）に示すように、パネル板２０が凹部３１内に取り付けられることとなる。この時には、凹凸盤１５の凹凸面１４が窓部３に嵌合することから、窓部３の空間部分に凹凸面１４が詰められる状態となる。
【００１７】
また、凹凸盤１５と下段プレート１７との間には、蓄光盤１６が敷設されており、凹凸盤１５が透光性を有するポリカーボネート製のものであることから、蓄光盤１６に蓄積された光が、凹凸盤１５を透過して発光する。
【００１８】
次に、凹凸盤１５が破損した場合に、新しい凹凸盤１５への交換は以下のように行われる。
先ず初めに、皿ネジ６，６・・の螺合を解除し、パネル板２０を凹部３１から取り外す。そして、中段リング１０の開口部１１内に嵌め込まれた凹凸盤１５と蓄光盤１６とを取り外す。その後、凹凸盤１５を、新しい凹凸盤１５に交換し、蓄光盤１６の上に新しい凹凸盤１５を重ね合わせて、これらを中段リング１０の開口部１１中に嵌め込む。この状態で上段表示プレート２を、下段プレート１７上に載置して皿ネジ６，６・・を孔４，４・・に差し込み、ネジ孔１８，１８・・に螺合すると、パネル板２０が取り付けられ、新しい凹凸盤１５に交換されることとなる。
【００１９】
次に、上段表示プレート２の窓部３が破損した場合に、新しい上段表示プレート２への交換は以下のように行われる。
凹凸盤１５を交換した場合と同様に、皿ネジ６，６・・の螺合を解除し、パネル板２０を凹部３１から取り外す。ここで、上段表示プレート２と中段リング１０とは、ＴＩＧ溶接により一体になっていることから、中段リング１０はそのまま使用できないため、新しい上段表示プレート２に、新しい中段リング１０を、孔１２，１２・・が孔４，４・・と同じ位置に重ね合わせてＴＩＧ溶接を行う。
その後、上記と同様の手順でパネル板２０の組み立てを行うことにより、上段表示プレート２が新しいものに交換されることとなる。
【００２０】
上記の如く構成されるグレーチング１は、パネル板２０が、図柄の形状に切り抜いた窓部３が形成される上段表示プレート２と、下段プレート１７と、窓部３に嵌合可能な凹凸を表面に形成した凹凸盤１５と、凹凸盤１５を嵌め込み可能とする開口部１１が形成され、上段表示プレート２と下段プレート１７との間に配される中段リング１０と、で少なくとも構成され、溝蓋３０には凹部３１が形成されており、凹部３１内にパネル板２０が着脱自在に固定されることにより、グレーチング１を側溝から取り外す必要がなく、パネル板２０のみを取り外して交換することが可能である。また、構造がシンプルであることから製作が容易であり、安価に製作することが可能である。
【００２１】
また、凹凸盤１５と下段プレート１７との間には、蓄光性を備えた蓄光盤１６を敷設してなることにより、視覚性に優れており、蓄光後は暗所においても図柄を表示することが可能である。
【００２２】
なお、本考案にかかるグレーチングの構成は、上記した実施の形態に何ら限定されるものではなく、本考案の趣旨を逸脱しない範囲で、上段表示プレートや中段リング、下段プレートの大きさや厚み、形状等を適宜変更することができる。
【００２３】
例えば、凹凸盤１５は、窓部３の図形部分の形状に合わせて部分毎に色が異なるものとしたり、全体を単色としても良く、適宜変更可能である。
【００２４】
また、枠部３に形成される図柄は、図形や模様、文字、絵柄等の単体を表示するものだけでなく、これらを組み合わせたものであっても良い。
【符号の説明】
【００２５】
１・・グレーチング、２・・上段表示プレート、３・・窓部、４・・孔、５・・段部、１０・・中段リング、１１・・開口部、１２・・孔、１５・・凹凸盤、１６・・蓄光盤、１７・・下段プレート、１８・・ネジ孔、２０・・パネル板、３０・・溝蓋、３１・・凹部。
【図１】
0003202965.tif 000003
【図２】
0003202965.tif 000004